(57)【特許請求の範囲】
【請求項１】
１列に並設した固定棚の前方に、移動棚を左右方向に移動可能に配設してなる横引き移動棚装置の転倒防止装置において、
前記移動棚の頂部の後端に連結板を水平に固定し、この連結板の後端に、水平ローラ部材と垂直ローラ部材とを、前記固定棚の頂部の前方にまで突出させて取り付け、前記固定棚の前部には、前記水平及び垂直ローラ部材の各ローラを案内するコ字状断面の案内部材を設け、この案内部材の開口部と対峙する縁部を互いに内方に直角に曲げて、下部の折り曲げ部分と、これと対向するコ字の連結部との間を、前記水平ローラ部材のローラの軌道としたことを特徴とする横引き移動棚装置の転倒防止装置。
【請求項２】
コ字状形断面の案内部材のほぼ中央に、水平に延びる部分を備えるＬ字形の条片を取り付け、このＬ字形の条片とコ字の上部の腕との間を、垂直ローラ部材のローラの軌道とした請求項１記載の横引き移動棚装置の転倒防止装置。
【請求項３】
水平ローラ部材と垂直ローラ部材とを、共通のボルトにより連結板に共付けした請求項１または２記載の横引き移動棚装置の転倒防止装置。
【請求項４】
水平ローラ部材と垂直ローラ部材とを、連結板の両端近くに１組ずつ配設した請求項１〜３のいずれかに記載の横引き移動棚装置の転倒防止装置。
【請求項５】
移動棚を前後２列に設けた３重横引き移動棚装置の前列の移動棚の後端に連結板を固定し、この連結板を、後列の移動棚を越えて固定棚の前端まで延ばし、その後端に配設した水平ローラ部材と垂直ローラ部材とを、前記固定棚に設けた案内部材に収容した請求項１〜４のいずれかに記載の横引き移動棚装置の転倒防止装置。
【発明の詳細な説明】
【０００１】
【発明の属する技術分野】
本発明は、横引き移動棚装置の移動棚の転倒を防止する装置に関する。
【０００２】
【従来の技術】
従来の横引き移動棚装置の転倒防止装置としては、例えば実開昭54-154825号公報、実公昭63-48772号公報に記載されているものが挙げられる。
これらの転倒防止装置では、前段の移動棚に前端を固定した連結板を、後部の固定棚の前端まで延ばし、この連結板の後端に配設したローラを、固定板の前端に沿設された外れ止めの部材に係合させている。
【０００３】
【発明が解決しようとする課題】
上述の従来の構造では、地震などで強力な力が作用して、移動棚が倒れかかると、ローラがはずれ止めの部材をこじ上げ、この外れ止めの部材をめくれ上がらせて、ローラは外れ、転倒防止の役を果たさなくなるおそれがある。
【０００４】
本発明は、地震などで強力な力が作用しても、確実な転倒防止が果たされるようにした横引き移動棚装置の転倒防止装置を提供することを目的とする。
【０００５】
【課題を解決するための手段】
本発明によると、上記課題は、次のようにして解決される。
(１)１列に並設した固定棚の前方に、移動棚を左右方向に移動可能に配設してなる横引き移動棚装置の転倒防止装置において、前記移動棚の頂部の後端に連結板を水平に固定し、この連結板の後端に、水平ローラ部材と垂直ローラ部材とを、前記固定棚の頂部の前方にまで突出させて取り付け、前記固定棚の前部には、前記水平及び垂直ローラ部材の各ローラを案内するコ字状断面の案内部材を設け、この案内部材の開口部と対峙する縁部を互いに内方に直角に曲げて、下部の折り曲げ部分と、これと対向するコ字の連結部との間を、前記水平ローラ部材のローラの軌道とする。
【０００６】
(２) 上記(１)項において、コ字状形断面の案内部材のほぼ中央に、水平に延びる部分を備えるＬ字形の条片を取り付け、このＬ字形の条片とコ字の上部の腕との間を、垂直ローラ部材のローラの軌道とする。
【０００７】
(３) 上記(１)または(２)項において、水平ローラ部材と垂直ローラ部材とを、共通のボルトにより連結板に共付けする。
【０００８】
(４) 上記(１)〜(３)項のいずれかにおいて、水平ローラ部材と垂直ローラ部材とを、連結板の両端近くに１組ずつ配設する。
【０００９】
(５) 上記(１)〜(４)項のいずれかにおいて、移動棚を前後２列に設けた３重横引き移動棚装置の前列の移動棚の後端に連結板を固定し、この連結板を、後列の移動棚を越えて固定棚の前端まで延ばし、その後端に配設した水平ローラ部材と垂直ローラ部材とを、前記固定棚に設けた案内部材に収容する。
【００１０】
【発明の実施の形態】
図１は、本発明を実施した横引き移動棚装置の斜視図であって、この横引き移動棚装置は、後部に３個の固定棚(１)を並設し、その前に２列の移動棚(２)(３)を２個ずつ、レール(４)上に左右方向に移動可能に装架した３重の構成のものである。
【００１１】
前列の移動棚(３)の頂部の後部には、連結板(５)の前端が固定されている。
【００１２】
連結板(５)は、後列の移動棚(２)の上を越えて、固定棚(１)の頂部の前端近くまで水平に延びており、その後端に設けたローラ部材（図２以下において詳述する）は、並設された３本の固定棚(１)の頂部の前縁全体に沿設された案内部材(６)に係合している。
【００１３】
図２に示すように、連結板(５)の前端は、鋼板をコ字状に曲げて形成したた固定支持部材(７)と、ボルト(８)により、前列の移動棚(３)の頂部の後端に固定されている。
【００１４】
図２、図３及び図４に示すように、連結板(５)の後端面には、水平ローラ部材(９)及び垂直ローラ部材(10)が、ボルト(11)により共付けされている。
図示はされていないが、水平垂直ローラ部材(９)(10)は、連結板(５)の左右両端近くに１組ずつ配設されている。
【００１５】
水平ローラ部材(９)は、板金をＬ字状に曲げた部材の下部に、ローラ(9a)を水平に軸(9b)により回転可能に取り付けたものである。
【００１６】
垂直ローラ部材(10)は、板金をコ字状に曲げた部材の一方の腕を連結板取付側とし、他方の腕にローラ(10a)を軸(10b)により回転可能に取り付けたもので、ローラ(10a)は、上述のローラ(9a)の上方に位置するようにされている。
【００１７】
左右に長い案内部材(６)は、側面視Ｌ字状に曲げられた半部材(13)と、同様にＬ字状に曲げられた支持部材(13)とを、コ字状断面となるように組み合わせたもので、Ｌ字状断面に折り曲げられた別のＬ字部材(14)をほぼ中央に配して、ボルトナット(15)により一体に結合され、ボルト(16)により固定棚(１)の頂部に取り付けられている。
【００１８】
半部材(12)の連結板側の端部及び半部材(13)の連結板側の端部、すなわちコ字の両腕の端部は、互いに内向きに直角に曲げられ、折り曲げ部分(12a)(13a)を形成している。
【００１９】
このような構成の案内部材(６)の中に、水平ローラ部材(９)のローラ(9a)が、折り返し部分(13a)とそれに対向するコ字の連結部との間に、僅かな間隙を残して収容されるように、また、垂直ローラ部材(10)のローラ(10a)が、Ｌ字形の支持部材(14)に乗り、ローラ(10a)の上部が半部材(12)の上部の内面、すなわちコ字の上の腕の内面に僅かな間隙を残して収容されるように、水平垂直ローラ部材(９)(10)が収められている。
【００２０】
このような構成であるので、地震などの大きな力が前列の移動棚(３)に加わり、これが転倒しようとする力、すなわち図２の左側の矢印に示すような力が加わると、移動棚(３)に固定された連結板(５)の後端も、右側の矢印に示すように大きく動こうとする。
【００２１】
この時、垂直ローラ部材(10)のローラ(10a)はコ字の上部の腕の内面に当たり、水平ローラ部材(９)のローラ(9a)は、案内部材(６)の折り返し部分(13a)に強く押し付けられるとともに、Ｌ字形の支持部材(14)の底面に衝突し、垂直水平ローラ部材(10)(９)の上がりは制止される。
従って、連結板(５)の後端の持ち上がりは有効に阻止され、前列の移動棚(３)の転倒は防止される。
【００２２】
【発明の効果】
本発明によれば、水平垂直の２つのローラを案内部材に係合させるので、これらのローラと案内部材との結合強度を高めることができ、転倒の応力が作用したときに、案内部材が変形して外れてしまう心配がなくなる。
また、転倒防止の機構をコンパクトにまとめることができる。
【００２３】
さらに、コ字形断面の案内部材の開口部に対峙する縁部を互いに内方に直角に曲げて、下部の折り曲げ部分とこれに対向するコ字の連結部との間を水平ローラ部材のローラの軌道としたので、水平ローラのための別途の案内部材を設ける必要もなく、コンパクトな構成とすることができる。
【００２４】
請求項２記載の発明のように、コ字形断面の案内部材のほぼ中央に、水平に延びる部分を備えたＬ字形の条片を取り付け、このＬ字形の条片とコ字の上部の腕との間を垂直ローラ部材のローラの軌道とすると、垂直ローラのための別途の案内部材を設ける必要もなく、コンパクトな構成とすることができ、かつ案内部材を構造的に補強し、強固な案内部材を形成させることができる。
【００２５】
請求項３記載の発明のように、水平ローラ部材と垂直ローラ部材とを、共通のボルトにより連結板に共付けすると、少ない部品点数で、両ローラ部材を強固に連結板に固定することができる。
【００２６】
請求項４記載の発明のように、水平ローラ部材と垂直ローラ部材とを、連結板の両端近くに１組ずつ配設すると、連結板の確実な支持及び転倒防止を計ることができる。
【００２７】
請求項５記載の発明のように、移動棚を２段に設けた３重の横引き移動棚装置の前列の移動棚の後端に連結板を固定し、この連結板を、後列の移動棚を越えて固定棚の前端まで延ばし、その後端に配設した水平ローラ部材と垂直ローラ部材とを、前記固定棚に沿設した案内部材に収容させると、前列の移動棚ばかりでなく後列の移動棚の転倒防止を計ることができる。
【図面の簡単な説明】
【図１】本発明を実施した３重の横引き移動棚装置の斜視図である。
【図２】図１の横引き移動棚装置の上部の連結板付近を示す一部省略拡大側面図である。
【図３】図２の連結板の後端付近の部分拡大側面図である。
【図４】連結板の後端縁と水平及び垂直ローラ部材の拡大分解斜視図である。
【符号の説明】
(１)固定棚
(２)後段の移動棚
(３)前段の移動棚
(４)レール
(５)連結板
(６)案内部材
(７)固定支持部材
(８)ボルト
(９)水平ローラ部材
(9a)ローラ
(9b)軸
(10)垂直ローラ部材
(10a)ローラ
(10b)軸
(11)ボルト
(12)半部材
(12a)折り曲げ部分
(13)半部材
(13a)折り曲げ部材
(14)Ｌ字部材
(15)ボルトナット
(16)ボルト
【図１】
0003543206.tif 000002
【図２】
0003543206.tif 000003
【図３】
0003543206.tif 000004
【図４】
0003543206.tif 000005